(57)【要約】【課題】本考案は、電波到来面側と鉄骨構造物側の両面からの熱の伝導を少なくして、電波吸収フェライトが熱せられて磁気特性が変わって性能が低下することをなくする。【解決手段】電波吸収パネルにおいて、固定用基板の一表面に断熱空隙部を配設し、該断熱空隙部の上部に金属板を装着するとともに、該金属板面上に複数個の電波吸収フェライトを間隔を隔てて固着し、該フェライトの上面部に発泡プラスチック層を設け、該発泡プラスチックス層の上面部に保護板を設けるとともに，該保護板の上面部に断熱空隙部を設けて、太陽光遮蔽板を装着する。【選択図】図２
0003106623.tif 000002
【実用新案登録請求の範囲】
【請求項１】
固定用基板の一表面に断熱空隙部を配設し、該断熱空隙部の上部に金属板を装着するとともに、該金属板面上に複数個の電波吸収フェライトを間隔を隔てて固着し、該フェライトの上面部に発泡プラスチック層を設け、該発泡プラスチックス層の上面部に保護板を設けるとともに，該保護板の上面部に断熱空間部を設けて、太陽光遮蔽板を装着したことを特徴とする電波吸収パネル。
【請求項２】
固定用基板の一表面にハニカム構造体を装着し、該ハニカム構造体の上部に金属板を装着するとともに、該金属板面上に複数個の電波吸収フェライトを間隔を隔てて固着し、該フェライトの上面部に発泡プラスチック層を設け、該発泡プラスチック層の上面部に保護板を設けるとともに，該保護板の上面部に断熱空間部を設けて、太陽光遮蔽板を装着したことを特徴とする電波吸収パネル。
【請求項３】
前記固定用基板は、繊維強化プラスチックであることを特徴とする請求項１又は２に記載の電波吸収パネル。
【請求項４】
前記ハニカム構造体は、紙で構成されていることを特徴とする請求項２又は３に記載の電波吸収パネル。
【請求項５】
前記ハニカム構造体は、プラスチックで構成されていることを特徴とする請求項２又は３に記載の電波吸収パネル。
【請求項６】
前記太陽光遮蔽板は、繊維強化プラスチックで構成されていることを特徴とする請求項１乃至５のいずれか１つの請求項に記載の電波吸収パネル。
【請求項７】
前記断熱空間部は、装着時に上下のみ外部に開放されていている構造であることを特徴とする請求項１乃至６のいずれか１つの請求項に記載の電波吸収パネル。
【考案の詳細な説明】
【考案の属する技術分野】
【０００１】
VOR（VHF Omnidirectional Radio Range）は、108−118MHzの周波数の電波を用いて航空機に地上局からみた航空機の磁北に対する方位情報を提供するものである。
【０００２】
VOR地上局は、空港の近くにおいて周囲が開けた場所に設置すべきであるが、橋梁等の構造物が近傍にあるとその構造物からの反射波が航空機に届き、方位情報の誤差を増大させたり、或いは通達距離が減少するような問題が発生する。本考案は、制約された場所における避けられない橋梁等の金属構造物からの反射波を大幅に低減させるための、橋梁等の構造物の反射面に貼り付ける電波吸収パネルに関するものである。
【背景技術】
【０００３】
テレビ放送の電波が、高層建設物に反射され、送信アンテナからの直接波に重畳して受信されると、画像が二重になって見える現象を起こす。この現象の影響を少なくするため高層建設物の壁面からのテレビ電波の反射を少なくする技術が使われている。一つの方法として、建設物の壁面パネルに電波吸収フェライトを埋め込んだものを使うことが提案されている。さらに他の方法として、コンクリートにカーボンファイバ〈炭素繊維〉やフェライト粒を混ぜて構成した壁面パネルを使うことが提案されている。
【非特許文献１】技術士  平成11年２月号  第16頁から第１９頁、茶木英一  「空港周辺の電波伝搬特性シミュレーション技術の開発」
【０００４】
大型橋梁が船用レーダ（9.4GHz）において、電波反射によりレーダ虚像を生じさせる問題例もあり、ゴムにフェライト粉末を混合したゴムフェライト系電波吸収体を橋梁部材の外側に貼り付けたものや、カーボン粉末をゴムに混合したゴムカーボン系電波吸収体を使ったものがある。アクリル繊維の表面に導電性層付着した抵抗繊維を、ある間隔で織り込んだ抵抗布をアルミ箔の1／4波長上にスペーサを使って、貼り付けた抵抗繊維系電波吸収体も提案されている。
フェライト粉末と金属短繊維を有機樹脂に混合した層の前に、1／4波長変成層をつけた２層構造の広帯域形電波吸収体も提案されている。
【考案の開示】
【考案が解決しようとする課題】
【０００５】
テレビ放送波の低い周波数に近く、船用レーダよりはるかに低い周波数を使うVOR電波の橋梁等鉄骨構造物からの反射波を低減させようとするものであり、電波吸収体の大きいものが必要になる傾向がある。橋梁等鉄骨構造物は、太陽光に曝され温度が数十度℃以上になることがあり、風雨にも曝されるので、前記材料であるゴムや繊維のものは耐候性に問題がある。建物の壁面パネルは、太陽光で熱せられるのは片側であるが、橋梁等鉄骨構造物では鉄骨も熱せられ、鉄骨側からも熱せられる環境条件の厳しさがある。本考案は、このような厳しい環境条件となる鉄骨構造物に対する電波反射の問題を解決しようとするものである。
【０００６】
フェライト系電波吸収体で橋梁等鉄骨構造物にも使用できるものとして、高キュリー点として80℃程度にしたものも開発されているが、厳しい環境条件に対しては余裕が無い。フェライト等の磁性材料は、キュリー点を超えると磁性体の性質が変わってしまい温度を下げても元に戻らず使えなくなってしまうからである。
【課題を解決するための手段】
【０００７】
直射日光による温度上昇からの熱伝導を低くする第一の手段は、電波吸収フェライトの電波到来面を発泡プラスチックで覆うことである。発泡プラスチックは、発泡反応によりプラスチック内に微小な気泡が多く生じ、プラスチックの体積が10から数10倍になっており、熱の伝導性能は極めて低く、断熱材になる。さらに第２の断熱層として、発泡プラスチックの前面に空気層を設けて、熱せられた空気が上部へ移動する対流効果により、筐体内面と発泡プラスチック空気層側の面の温度上昇を下げるようにする手段である。
【０００８】
本電波吸収パネルを貼り付ける鉄骨構造物側には、第３の断熱手段として、断熱空隙部、又は紙或いはプラスチックのハニカム構造体による断熱層を設ける。
【考案の効果】
【０００９】
電波吸収フェライトの電波到来面側を、第１の手段の断熱材である発泡プラスチックで覆い、直射日光で熱せられた外壁からの熱の伝導を非常に少なくしている。更に、該発泡プラスチックの前面に第２の手段である空気層を設けて、直射日光で熱せられた筐体の内側に接する空気が熱せられると、空気は膨張して軽くなり、上部へ移動することにより、下方の開口部より外部の空気が入り込み、対流現象が起きる。この対流作用により、筐体の内側と、その放射熱により、熱せられている発泡プラスチックの表面の温度を下げるように働く。
第１の手段と第２の手段が加え合わさって電波到来面側の外壁が，直射日光で熱せられても電波吸収フェライトの温度上昇を低く抑える効果がある。
【００１０】
一方、電波吸収フェライトを貼り付けてある金属板は、支持部材により断熱空隙部を設けて筐体状の基板に貼り付けるか、又は紙或いはプラスチックのハニカム構造の板に貼り付けてあり、該ハニカム構造板が筐体状に基板に貼り付けられる。該筐体の基板は、鉄骨構造物に固着される。直射日光で熱せられた鉄骨構造物からの熱は筐体内部に伝導するが、前記断熱空隙部又は前記ハニカム構造板は熱の伝導を非常に少なくし、電波吸収フェライトの温度上昇を低く抑える効果がある。
【００１１】
以上のように、電波到来面側と鉄骨構造物側の両面からの熱の伝導を非常に少なくするようにして電波吸収フェライトの気温よりの温度上昇を低く抑える構造になっているので、電波吸収フェライトが熱せられて磁気特性が永久的に変わって性能が低下してしまうキューリ点を超えることがなくなる。
【考案を実施するための最良の形態】
【００１２】
本考案は、電波吸収パネルにおいて、固定用基板の一表面に断熱空隙部を配設し、該断熱空隙部の上部に金属板を装着するとともに、該金属板面上に複数個の電波吸収フェライトを間隔を隔てて固着し、該フェライトの上面部に発泡プラスチック層を設け、該発泡プラスチックス層の上面部に保護板を設けるとともに，該保護板の上面部に断熱空間部を設けて、太陽光遮蔽板を装着したことを特徴とする。
【００１３】
本考案は、電波吸収パネルにおいて、固定用基板の一表面にハニカム構造体を装着し、該ハニカム構造体の上部に金属板を装着するとともに、該金属板面上に複数個の電波吸収フェライトを間隔を隔てて固着し、該フェライトの上面部に発泡プラスチック層を設け、該発泡プラスチック層の上面部に保護板を設けるとともに，該保護板の上面部に断熱空間部を設けて、太陽光遮蔽板を装着したことを特徴とする。
本考案は、電波吸収パネルにおいて、前記固定用基板は、繊維強化プラスチックであることを特徴とする。
本考案は、電波吸収パネルにおいて、前記ハニカム構造体は、紙で構成されていることを特徴とする。
本考案は、電波吸収パネルにおいて、前記ハニカム構造体は、プラスチックで構成されていることを特徴とする。
本考案は、電波吸収パネルにおいて、前記太陽光遮蔽板は、繊維強化プラスチックで構成されていることを特徴とする。
本考案は、電波吸収パネルにおいて、前記断熱空間部は、装着時に上下のみ外部に開放されていている構造であることを特徴とする。
【００１４】
さらに繊維強化プラスチックの筐体は、電波吸収パネルの周囲を囲っており、鉄骨構造物に貼り付けたときに，該断熱空間部は、上下の方向の空気層で開放されている。
【実施例】
【００１５】
図１は、本考案に係る電波吸収パネルの第１の実施例の外観図である。図２は、電波吸収パネルの第１の実施例の水平断面図を示している。両図の符号で、同符号は同じものを指している。
１は、本考案に係る電波吸収パネルを示している。１１は、電波吸収パネルを鉄骨構造物に貼り付ける繊維強化プラスチックの基板である。１３は、電波到来方向の太陽光遮蔽板である。２は、１１の内側に形成した断熱空隙で，第３の手段の断熱空隙部であり，電波到来方向には複数の支持部材8により支持された金属板３を設置してある。４は、図１において、上下方向に長い板状の電波吸収フェライトで、金属板３に複数枚貼り付けてある。５は、複数の電波吸収フェライトを覆うように配置した発泡プラスチックで、第１の手段の断熱材である。電波吸収フェライトの寸法については、該電波吸収フェライトの幅と該金属板に貼り付ける間隔は、橋梁等の構造物とＶＯＲアンテナの距離等の設置条件により要求される性能を最低のコストで実現するように決める。
発泡プラスチック５は、保護板としてのプラスチック板１２により外囲気から保護されている。保護板１２と太陽光遮蔽板１３の間は支持部材７に支持され，第２の手段としての断熱空間部６が形成されている。
電波吸収パネル１の寸法は、１ｍ角程度で、厚さは、数ｃｍ程度であり、断熱空隙６は、１ｃｍ程度であり、上下が外気に通じている。
【００１６】
図３は、本考案の第２の実施例の電波吸収パネルの外観図である。
図４は、本考案の第２の実施例の水平断面図を示している。図４の符号で、図１、図２にあるものは同じものを示している。
図２に示される第１の実施例との相違は、２の断熱空隙に代えて、紙またはプラスチックより成るハニカム構造体２１が設置されていることである。
【００１７】
鉄骨構造物の広い面積は、電波到来方向の面全てに電波吸収パネルを細密配置して、到来電波の反射を低減させるようにする。
【図面の簡単な説明】
【００１８】
【図１】本考案に係る電波吸収パネルの第１の実施例の外観図。
【図２】本考案の第１の実施例の水平断面図。
【図３】本考案に係る電波吸収パネルの第2の実施例の外観図。
【図４】本考案の第２の実施例の水平断面図。
【符号の説明】
【００１９】
１  電波吸収パネル
２  断熱空隙部（第３断熱手段）
３  金属板
４  電波吸収フェライト
５  発泡プラスチックス（第１断熱手段）
６  断熱空間部（第２断熱手段）
７  支持部材
８  支持部材
１１  固定用基板
１２  保護板
１３  太陽光遮蔽板
２１  ハニカム構造体
【図１】
0003106623.tif 000003
【図２】
0003106623.tif 000004
【図３】
0003106623.tif 000005
【図４】
0003106623.tif 000006